(57)【要約】      （修正有）【課題】ゴルフボールを転動させながら洗浄する回転ブラシを回転支承軸に着脱自在に取り付け、交換、メンテナンスを容易にさせるゴルフボール洗浄機用ブラシを提供する。【解決手段】ゴルフボール洗浄機内に投入したゴルフボールを、水平方向で回転して洗浄板上を転動させながら洗浄する回転ブラシであって、駆動源の回転支承軸１２に着脱自在に取り付けるブラシ盤本体２の底面に、ゴルフボールを洗浄板に押し付け転動させながら洗浄するブラシ毛３を配列する。ブラシ盤本体は、回転支承軸の下端部に連結する連結フランジ１３に取付手段５によって取り付けられる。取付手段は、回転支承軸に嵌め合わせる連繋孔６と、連結フランジ面に当接させてねじ止めさせる連結孔７とを備える。連結フランジには、連結孔７と位置、部位が共通する被連結孔１８が配列されている。【選択図】図１
0003222620.tif 000002
【実用新案登録請求の範囲】
【請求項１】
ゴルフボール洗浄機内に投入されたゴルフボールを、水平方向で回転されることで洗浄板上を転動させながら洗浄する回転ブラシであって、駆動源の回転支承軸に着脱自在に取り付けられるブラシ盤本体の底面に、ゴルフボールを洗浄板に押し付け転動させながら洗浄するブラシ毛を配列してあることを特徴とするゴルフボール洗浄機用ブラシ。
【請求項２】
ブラシ盤本体は、回転支承軸の下端部に連結される連結フランジに取付手段によって取り付けられており、取付手段は、回転支承軸に嵌め合わせる連繋孔と、連結フランジ面に当接させてねじ止めさせる連結孔とを備えている請求項１に記載のゴルフボール洗浄機用ブラシ。
【請求項３】
連結孔は連繋孔の周囲に適数で配列してある請求項１または２に記載のゴルフボール洗浄機用ブラシ。
【請求項４】
連結フランジは、円盤状のフランジ本体の中央部に開口した取付孔の周縁に立脚した筒状の取付部に、回転支承軸面に先端が圧止する取付ネジをねじ止めすると共に、フランジ本体の取付部の周囲にはブラシ盤本体の連結孔に対応する被連結孔を配列して成る請求項２または３に記載のゴルフボール洗浄機用ブラシ。
【考案の詳細な説明】
【技術分野】
【０００１】
この考案は主としてゴルフ練習場において打球使用されたゴルフボールを回収した後、再度供給するに際し、ゴルフボールに付着した泥その他を洗浄し清浄な状態とさせるゴルフボール洗浄機に装着される回転ブラシに係り、ゴルフボールを転動させながらその表面を擦るようにして洗浄するゴルフボール洗浄機用ブラシの改良に関する。
【背景技術】
【０００２】
従来から各種のゴルフボール洗浄機が提案されており、例えば投入された多数のゴルフボールを、機枠内に配列された複数のロール状のブラシ体上で洗浄水を散布させながら転動させ、その転動によって表面の汚れを落とすことで順次に排出するようにしている。ただ、このような洗浄方法によると、ブラシ体上で転動させるにすぎず、ゴルフボール表面の汚れを掻き落とすような洗浄作用が生じないから、ゴルフボールの表面を確実に洗浄するのは困難である。
【０００３】
これを解消すべく、特許文献１に示すように、多孔性の洗浄板上に投入したゴルフボールを、ゴルフボール上で水平方向に沿って回転する回転ブラシによって押し付けながら転動させ、また順次に搬送させることでゴルフボール表面を確実に洗浄できるようにしたゴルフボール洗浄装置が提案されている。
【先行技術文献】
【特許文献】
【０００４】
【特許文献１】特許第４７１９６６３号公報
【考案の概要】
【考案が解決しようとする課題】
【０００５】
このゴルフボール洗浄装置によると、回転ブラシをゴルフボールに押し付けるようにして回転させて洗浄しているから、回転ブラシのブラシ毛はゴルフホールに押し付けられることで消耗することになり、定期的に交換する必要がある。定期的な交換に際しては、交換する新しい回転ブラシとこれを回転させる回転支承軸とは確実に連繋固定させる必要があり、そのときの交換、メンテナンスは面倒な作業を要せずに比較的に簡単に行えることが望まれる。
【０００６】
そこでこの考案は叙上のような従来存した諸事情に鑑み案出されたもので、ゴルフボール洗浄機において、投入されるゴルフボールを洗浄板上で転動させながら洗浄するよう水平方向で回転する回転ブラシを回転支承軸に確実に取り付けられ、またその交換、メンテナンスも容易であるばかりでなく、専用部材としても取り扱えるようにしたゴルフボール洗浄機用ブラシを提供することにある。
【課題を解決するための手段】
【０００７】
上述した課題を解決するため、この考案にあっては、ゴルフボール洗浄機１０内に投入されたゴルフボールＢを、水平方向で回転されることで洗浄板２１上を転動させながら洗浄する回転ブラシであって、駆動源１１の回転支承軸１２に着脱自在に取り付けられるブラシ盤本体２の底面に、ゴルフボールＢを洗浄板２１に押し付け転動させながら洗浄するブラシ毛３を配列してあることを特徴とする。
ブラシ盤本体２は、回転支承軸１２の下端部に連結される連結フランジ１３に取付手段５によって取り付けられており、取付手段５は、回転支承軸１２に嵌め合わせる連繋孔６と、連結フランジ１３面に当接させてねじ止め８させる連結孔７とを備えて構成することができる。
連結孔７は連繋孔６の周囲に適数で配列して構成することができる。
連結フランジ１３は、円盤状のフランジ本体１４の中央部に開口した取付孔１５の周縁に立脚した筒状の取付部１６に、回転支承軸１１面に先端が圧止する取付ネジ１７をねじ止めすると共に、フランジ本体１４の取付部１６の周囲にはブラシ盤本体２の連結孔７に対応する被連結孔１８を配列して構成することができる。
【０００８】
以上のように構成されたこの考案に係るゴルフボール洗浄機用ブラシにあって、取付手段５によって、ゴルフボール洗浄機１０の駆動源１１の回転支承軸１２に回転ブラシ１を着脱自在に取り付け固定でき、ブラシ毛３の摩耗によって回転ブラシ１を交換する場合にもその作業を容易に行わせる。
取付手段５は、回転支承軸１２への連繋孔６による嵌め合わせ、連結孔７による連結フランジ１３への当接状態のねじ止めによって回転ブラシ１自体を確実に取り付けさせ、またそのねじ止め８の解除によって回転支承軸１２から取り外しさせる。
ブラシ盤本体２の連結孔７は、連結フランジ１３の被連結孔１８に対応しており、これらの間のねじ止め８は、ブラシ盤本体２を連結フランジ１３面に当接状態で固定させ、回転ブラシ１の回転中にがたつかせずにブラシ毛３をゴルフボールＢに当接させ、転動させながらの洗浄を確実にさせる。
【考案の効果】
【０００９】
この考案は以上説明したように構成されているため、ゴルフボール洗浄機１０における駆動源１１の回転支承軸１２に取付固定されることで、投入されたゴルフボールＢを洗浄板２１上で転動させながらその表面を洗浄し、またブラシ毛３の摩耗によって交換する場合にも取付手段５の解除、組立によって簡単に行うことができる。
【００１０】
すなわちこれはこの考案において、ゴルフボール洗浄機１０における駆動源１１の回転支承軸１２に着脱自在に取り付けられるブラシ盤本体２の底面に、ゴルフボールＢを洗浄板２１に押し付け転動させながら洗浄するブラシ毛３を配列してあるからである。これによって、回転ブラシ１のブラシ毛３の摩耗等による交換に際し迅速に対処でき、ゴルフボールＢの洗浄を支障なく実施させることができる。
【００１１】
また、駆動源１１の回転支承軸１２に回転ブラシ１を取り付ける取付手段５は、回転支承軸１２に嵌め合わせる連繋孔６と、連結フランジ１３面に当接させてねじ止め８させる連結孔７とを備え、連結フランジ１３は、筒状の取付部１６によって回転支承軸１２に嵌め合わせられ、取付ネジ１７のねじ止めで回転支承軸１２にしっかりと位置決めされることと相俟ち、回転支承軸１２に対し水平方向で回転する回転ブラシ１をがたつかせずに、洗浄板２１上のゴルフボールＢに確実に当接して転動させながら、その表面を洗浄することができる。
【００１２】
しかも、フランジ本体１４にはブラシ盤本体２の連結孔７に対応する被連結孔１８を取付部１６の周囲に配列してあることで、回転支承軸１２に固定した連結フランジ１３面にブラシ盤本体２をしっかりと当接できるから、回転支承軸１２による回転を回転ブラシ１に確実に伝達でき、ゴルフボールＢを効率的に洗浄できる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す取付時の分解斜視図である。
【図２】同じくゴルフボール洗浄機の回転支承軸に取り付けたときの要部断面図である。
【図３】同じく回転ブラシを装着したゴルフボール洗浄機の側断面図である。
【考案を実施するための形態】
【００１５】
以下、図面を参照してこの考案を実施するための一形態を説明すると、図において示される符号１はこの考案に係る回転ブラシであり、回転ブラシ１は、ブラシ盤本体２とブラシ毛３とから成る。ブラシ盤本体２は所定肉厚、所定径の例えば塩化ビニール樹脂等の合成樹脂、アルミニウム等の金属等を素材として形成されており、ブラシ毛３は、ブラシ盤本体２の底面に、ブラシ毛３を複数本で束ねたブラシ束を例えば同心円状の配列によって植設してある。
【００１６】
ブラシ毛３は、ゴルフボール洗浄機１０における多孔性素材から成る洗浄板２１上で転動させるゴルフボールＢに対する押し付けによって転動しているゴルフボールＢの頂部及びその周辺部分に下端縁が当接し、ゴルフボールＢを回転させながら当接部分の泥その他の汚染・夾雑物等を順次に擦り落とすようにしている。例えば０．９ｍｍ程度の毛径の６６ナイロン樹脂繊維を素材として成り、その毛足長さは例えば２５ｍｍ程度としてある。またブラシ毛３自体は、ゴルフボールＢに対する押し付け、洗浄によって摩耗するから、摩耗したブラシ毛３を抜き取り除去した後、新たなブラシ毛３を再度植設可能にすることで再生できるようにしてもよい。
【００１７】
また、ブラシ盤本体２には、ゴルフボール洗浄機１０における駆動源１１例えばモーターの出力軸である回転支承軸１２に後述する連結フランジ１３を介して着脱自在に連繋する取付手段５が設けられている。この取付手段５は、回転支承軸１２に嵌め合わせるようブラシ盤本体２の中心に開口形成した連繋孔６と、回転支承軸１２の下端部に連結される後述の連結フランジ１３に当接させてねじ止め８させるよう開穿形成した適数の連結孔７とから成る。
【００１８】
連繋孔６は、回転支承軸１２の外径に対応した内径を備え、連結孔７はブラシ盤本体２を連結フランジ１３に当接させた状態で後述する被連結孔１８と共通した位置・部位として開穿形成される。図例にあっての連結孔７は、例えば連繋孔６の周囲で計４ヶ所としてあるも、必要に応じて計６ヶ所としたりあるいは８ヶ所その他としたりすることも可能であり、特に限定されない。
【００１９】
なお、連結フランジ１３は図示のように、例えば所定径の円盤状のフランジ本体１４の中央部に開口した取付孔１５の周縁に立脚した筒状の取付部１６に、回転支承軸１２の外周面に先端が圧止する取付ネジ１７をねじ止めすると共に、フランジ本体１４の取付部１６の周囲にはブラシ盤本体２に開穿形成した連結孔７に対応する被連結孔１８が開穿形成されて成る。
【００２０】
次に以上の実施の形態における使用の一例を説明すると、ゴルフボール洗浄機１０における駆動源１１に連繋構成されている回転支承軸１２の端部には連結フランジ１３が連結されており、この連結フランジ１３を介してこの考案に係る回転ブラシ１を取り付ける。すなわち図２に示すように、回転支承軸１２の端部には、取付部１６を回転支承軸１２に取付孔１５によって嵌め合わせると共に取付ネジ１７をねじ止めすることで連結フランジ１３が取付固定されており、この連結フランジ１３に連結されることで回転ブラシ１が固着される。回転ブラシ１自体は、回転支承軸１２、連結フランジ１３に取付手段５によって連結されるもので、ブラシ盤本体２の連繋孔６を回転支承軸１２の下端に嵌め合わせると共に、連結孔７を被連結孔１８に位置合わせし、ねじ止め８すればよい。
【００２１】
また、例えばブラシ毛３の摩耗によって交換する場合には、駆動源１１の回転支承軸１２に連結フランジ１３を介して取り付けてある回転ブラシ１自体を取付手段５による取付組立の解除、次いで別に用意した新たな回転ブラシ１を取付手段５によって再度取付固定すればよい。
【００２２】
なお、ゴルフボール洗浄機１０は、例えば図３に示すように、ボックス状の機枠内に、投入されたゴルフボールＢが整列状で移動されるようやや傾斜して配置されている洗浄板２１の上方に駆動源１１によって回転される回転ブラシ１がその回転支承軸１２に取付配置されるようになっている。そして、回転ブラシ１によって洗浄板２１上で転動されることで洗浄されたゴルフボールＢは、洗浄板２１の末端部から、洗浄板２１の下方で複数にして配列されているローラー状の乾燥ブラシ２２上に落下され、この乾燥ブラシ２２上で転動されながら順次に搬送されることで乾燥されて排出口２３からゴルフボールＢが排出されるようになっている。
【００２３】
なお、図中符号２４は、機枠内の回転ブラシ１の前端位置の洗浄板２１上方部位で、洗浄板２１とはゴルフボール１個分の高さを隔てて配置したボール崩しローラーであり、投入されたゴルフボールＢが１段に整列させて、回転ブラシ１内に送り込むようにしている。また同じく符号２５は、洗浄板２１から落下したゴルフボールＢを乾燥ブラシ２２上に案内するスノコシュートであり、ゴルフボールＢに付着した洗浄水を取り除きながら乾燥ブラシ２２に案内するようにしている。
【符号の説明】
【００２４】
Ｂ…ゴルフボール
１…回転ブラシ
２…ブラシ盤本体
３…ブラシ毛
５…取付手段
６…連繋孔
７…連結孔
８…ねじ止め
１０…ゴルフボール洗浄機
１１…駆動源
１２…回転支承軸
１３…連結フランジ
１４…フランジ本体
１５…取付孔
１６…取付部
１７…取付ネジ
１８…被連結孔
２１…洗浄板
２２…乾燥ブラシ
２３…排出口
２４…ボール崩しローラー
２５…スノコシュート
【図１】
0003222620.tif 000003
【図２】
0003222620.tif 000004
【図３】
0003222620.tif 000005
【手続補正書】
【提出日】令和1年6月13日(2019.6.13)
【手続補正１】
【補正対象書類名】実用新案登録請求の範囲
【補正対象項目名】全文
【補正方法】変更
【補正の内容】
【実用新案登録請求の範囲】
【請求項１】
ゴルフボール洗浄機内に投入されたゴルフボールを、水平方向で回転されることで洗浄板上を転動させながら洗浄する回転ブラシであって、駆動源の回転支承軸に着脱自在に取り付けられるブラシ盤本体の底面に、ゴルフボールを洗浄板に押し付け転動させながら洗浄するブラシ毛を配列してあることを特徴とするゴルフボール洗浄機用ブラシ。
【請求項２】
ブラシ盤本体は、回転支承軸の下端部に連結される連結フランジに取付手段によって取り付けられており、取付手段は、回転支承軸に嵌め合わせる連繋孔と、連結フランジ面に当接させてねじ止めさせる連結孔とを備えている請求項１に記載のゴルフボール洗浄機用ブラシ。
【請求項３】
連結孔は連繋孔の周囲に適数で配列してある請求項２に記載のゴルフボール洗浄機用ブラシ。
【請求項４】
連結フランジは、円盤状のフランジ本体の中央部に開口した取付孔の周縁に立脚した筒状の取付部に、回転支承軸面に先端が圧止する取付ネジをねじ止めすると共に、フランジ本体の取付部の周囲にはブラシ盤本体の連結孔に対応する被連結孔を配列して成る請求項２または３に記載のゴルフボール洗浄機用ブラシ。